(57)【特許請求の範囲】
【請求項１】
自動販売機の機能を有効にする設定データを記憶する親機用設定データ記憶手段と、自動販売機に接続される別自動販売機にて自動販売機の機能を有効にする子機用設定データ記憶手段と、前記子機用設定データ記憶手段に設定するデータを予め記憶している自動設定データ記憶手段と、前記自動設定データ記憶手段にて記憶されている設定データを基に、前記親機用設定データ記憶手段から前記子機用設定データ記憶手段に設定する自動設定手段と、前記親機用設定データ記憶手段と前記子機用設定データ記憶手段と前記自動設定データ記憶手段と前記自動設定手段に接続された演算制御部を備え、前記演算制御部は、前記自動設定手段にて前記子機用設定データ記憶手段に設定データを設定することを特徴とした自動販売機の制御装置。
【請求項２】
自動販売機の記憶手段のデータを操作できる操作手段を備え、前記演算制御部は、前記操作手段にて前記自動設定データ記憶手段の設定データが操作された場合、前記自動設定データ記憶手段に記憶することを特徴とした請求項１に記載の自動販売機の制御装置。
【請求項３】
自動販売機に接続されている別自動販売機を未接続にした場合に前記子機用設定データ記憶手段に記憶されている設定データを記憶する子機用設定データバックアップ手段を備え、前記演算制御部は、前記子機用設定データバックアップ手段にて前記子機用設定データ記憶手段に記憶されている設定データを記憶することを特徴とした請求項１または２に記載の自動販売機の制御装置。
【請求項４】
前記自動設定手段にて前記子機用設定データ記憶手段に設定データを設定するか前記子機用設定データバックアップ手段に記憶されている設定データを設定するかを選択する選択記憶手段を備え、前記演算制御部は、前記選択記憶手段に記憶されているデータに基づき、前記子機用設定データ記憶手段に設定データを設定することを特徴とした請求項３に記載の自動販売機の制御装置。
【発明の詳細な説明】
【技術分野】
【０００１】
本発明は、自動販売機に別の自動販売機が接続された場合に、別の自動販売機に必要な設定を自動販売機の設定データを基に自動的に設定する自動販売機の制御装置に関するものである。
【背景技術】
【０００２】
近年、自動販売機（以降、親機と記載）に、貨幣制御装置、機能操作部や表示部等を持たない別の自動販売機（以降、子機と記載）を接続し、収納商品を増加させたり、また、親機が販売している商品とは別種の商品を販売することを可能にしたりする。子機は貨幣制御装置、機能操作部や表示部等を持たないため、有線や無線等にて、親機と信号のやり取りを行い、親機の操作にて子機の機能を動作させている（例えば、特許文献１参照）。
【先行技術文献】
【特許文献】
【０００３】
【特許文献１】特開昭６２−５５７９３号公報
【発明の概要】
【発明が解決しようとする課題】
【０００４】
しかしながら、前記従来の構成では、子機が接続された場合、子機用に販売価格等の設定データを改めて設定するため、オペレーターの操作性が悪いという課題を有していた。
【０００５】
本発明は、前記従来の課題を解決するもので、親機にすでに設定されている設定データにて、子機に使用してもよい設定データを予め記憶し、子機が接続された場合、該当する設定データを、親機の設定データを基に子機の設定データに設定することで、オペレーターの操作性を向上させる自動販売機の制御装置を提供することを目的とする。
【課題を解決するための手段】
【０００６】
前記従来の課題を解決するために、本発明の自動販売機の制御装置は、自動販売機の機能を有効にする設定データを記憶する親機用設定データ記憶手段と、自動販売機に接続される別自動販売機にて自動販売機の機能を有効にする子機用設定データ記憶手段と、前記子機用設定データ記憶手段に設定するデータを予め記憶している自動設定データ記憶手段と、前記自動設定データ記憶手段にて記憶されている設定データを基に、前記親機用設定データ記憶手段から前記子機用設定データ記憶手段に設定する自動設定手段と、前記親機用設定データ記憶手段と前記子機用設定データ記憶手段と前記自動設定データ記憶手段と前記自動設定手段に接続された演算制御部を備え、前記演算制御部は、前記自動設定手段にて前記子機用設定データ記憶手段に設定データを設定するとしたものである。
【０００７】
これによって、オペレーターが子機を接続した場合、親機の設定データを基に、自動的に子機の設定データが設定されるためオペレート性を向上することができる。
【発明の効果】
【０００８】
本発明の自動販売機の制御装置は、親機の設定データを子機の設定データに自動的に設定することができ、親機と子機をつなぐ自動販売機のオペレート性を向上することができる。
【図面の簡単な説明】
【０００９】
【図１】本発明による自動販売機の制御装置の実施の形態１のブロック図
【図２】同実施の形態の自動販売機の制御装置の動作を示すフローチャート
【発明を実施するための形態】
【００１０】
請求項１に記載の発明は、自動販売機の機能を有効にする設定データを記憶する親機用設定データ記憶手段と、自動販売機に接続される別自動販売機にて自動販売機の機能を有効にする子機用設定データ記憶手段と、前記子機用設定データ記憶手段に設定するデータを予め記憶している自動設定データ記憶手段と、前記自動設定データ記憶手段にて記憶されている設定データを基に、前記親機用設定データ記憶手段から前記子機用設定データ記憶手段に設定する自動設定手段と、前記親機用設定データ記憶手段と前記子機用設定データ記憶手段と前記自動設定データ記憶手段と前記自動設定手段に接続された演算制御部を備え、前記演算制御部は、前記自動設定手段にて前記子機用設定データ記憶手段に設定データを設定することにより、オペレーターが子機を接続した場合、親機の設定データを基に、自動的に子機の設定データが設定されるためオペレート性を向上することができる。
【００１１】
請求項２に記載の発明は、請求項１に記載の発明において、自動販売機の記憶手段のデータを操作できる操作手段を備え、前記演算制御部は、前記操作手段にて前記自動設定データ記憶手段の設定データが操作された場合、前記自動設定データ記憶手段に記憶することにより、オペレーターが任意で子機に設定したいデータを選択することができ、さらなるオペレート性を向上することができる。
【００１２】
請求項３に記載の発明は、請求項１または２に記載の発明において、自動販売機に接続されている別自動販売機を未接続にした場合に前記子機用設定データ記憶手段に記憶されている設定データを記憶する子機用設定データバックアップ手段を備え、前記演算制御部は、前記子機用設定データバックアップ手段にて前記子機用設定データ記憶手段に記憶されている設定データを記憶することにより、何かの都合で、一旦子機を外した後に、再度子機を接続しても、バックアップしている以前の設定データが自動的に設定されるため、改めてオペレーターが子機の設定を行う必要がなくなり、さらなるオペレート性を向上することができる。
【００１３】
請求項４に記載の発明は、請求項３に記載の発明において、前記自動設定手段にて前記子機用設定データ記憶手段に設定データを設定するか前記子機用設定データバックアップ手段に記憶されている設定データを設定するかを選択する選択記憶手段を備え、前記演算制御部は、前記選択記憶手段に記憶されているデータに基づき、前記子機用設定データ記憶手段に設定データを設定することにより、オペレーターは、バックアップしている以前の設定データを使用するか、あらためて現在の親機の設定データを基に自動的に子機の設定データを設定するかを選択することができ、ロケーションや商品入換え時のオペレート性を向上することができる。
【００１４】
以下、本発明の実施の形態について、図面を参照しながら説明する。なお、この実施の形態によってこの発明が限定されるものではない。
【００１５】
（実施の形態１）
図１は本発明の実施の形態１による自動販売機の制御装置の機能ブロック図である。図２は、同実施の形態の動作を示すフローチャートである。
【００１６】
図１において、親機用設定データ記憶手段１１は、親機の機能を有効にする設定データを記憶する。尚、設定データには価格データ、ルーレット当り対象、温度設定データ等の様々なデータがある。子機用設定データ記憶手段１２は、子機の機能を有効にする設定データを記憶する。尚、設定データには価格データ、ルーレット当り対象、温度設定データ等の様々なデータがある。自動設定データ記憶手段１３は、子機用設定データ記憶手段１
２に設定するデータを予め記憶している。尚、記憶している設定データには価格データ、ルーレット当り対象、温度設定データ等の様々なデータがある。自動設定手段１４は、自動設定データ記憶手段１３にて記憶されている設定データに基づき、親機用設定データ記憶手段１１から子機用設定データ記憶手段１２に設定する。操作手段１５は、自動販売機の記憶手段のデータを操作できる。尚、操作手段にはリモコン、スイッチなどが挙げられる。子機用設定データバックアップ手段１６は、子機用設定データ記憶手段１２に記憶されている設定データを記憶する。選択記憶手段１７は、自動設定手段１４にて子機用設定データ記憶手段１２に設定データを設定するか、子機用設定データバックアップ手段１６に記憶されている設定データを設定するか、を記憶する。演算制御部１８は、操作手段１５にて、自動設定データ記憶手段１３が操作された場合、その操作された内容を自動設定データ記憶手段１３に記憶し、また操作手段１５にて、選択記憶手段１７が操作された場合、その内容を選択記憶手段１７に記憶する。また、子機が外された場合、子機用設定データ記憶手段１２に記憶されている設定データを、子機用設定データバックアップ手段１６に記憶し、子機が接続され、また子機用設定データ記憶手段１２にデータが設定されていない場合、選択記憶手段１７に記憶されているデータに基づき、自動設定手段１４にて自動設定データ記憶手段１３に記憶されている設定データに基づき、親機用設定データ記憶手段１１から子機用設定データ記憶手段１２に設定するか、子機用設定データバックアップ手段１６に記憶されている設定データを子機用設定データ記憶手段１２に設定するか、どちらかを実施する。
【００１７】
以上のように構成された自動販売機の制御装置について、以下その動作を図２のフローチャートをもとにして説明する。
【００１８】
まず、演算制御部１８は、操作手段１５にて、オペレーター等が自動販売機の記憶手段を操作しているか否かを判定する（ＳＴＥＰ１）。自動設定データ記憶手段１３が操作手段１５にて操作されている場合、その内容を自動設定データ記憶手段１３に記憶させる。また、選択記憶手段１７が操作手段１５にて操作されている場合、その内容を選択記憶手段１７に記憶する（ＳＴＥＰ２）。子機が接続されているか否かを判定する（ＳＴＥＰ３）。ＳＴＥＰ３にて子機が接続されていないと判定された場合、子機用設定データ記憶手段１２に記憶されている設定データを、子機用設定データバックアップ手段１６に記憶する（ＳＴＥＰ４）。ＳＴＥＰ３にて子機が接続されていると判定された場合、子機用設定データ記憶手段１２にデータが設定されているか否かを判定する（ＳＴＥＰ５）。ＳＴＥＰ５にて、子機用設定データ記憶手段１２にデータが設定されていないと判定された場合、選択記憶手段１７にて、自動設定手段１４にて自動設定データ記憶手段１３に記憶されている設定データに基づき、親機用設定データ記憶手段１１から子機用設定データ記憶手段１２に設定するか、子機用設定データバックアップ手段１６に記憶されている設定データを子機用設定データ記憶手段１２に設定するか、どちらが選択されているかを判定する（ＳＴＥＰ６）。ＳＴＥＰ６にて、自動設定手段１４にて自動設定データ記憶手段１３に記憶されている設定データに基づき、親機用設定データ記憶手段１１から子機用設定データ記憶手段１２に設定する方が選択されている場合、自動設定手段１４にて自動設定データ記憶手段１３に記憶されている設定データに基づき、親機用設定データ記憶手段１１から子機用設定データ記憶手段１２に設定する（ＳＴＥＰ７）。ＳＴＥＰ６にて、子機用設定データバックアップ手段１６に記憶されている設定データを子機用設定データ記憶手段１２に設定する方が選択されている場合、子機用設定データバックアップ手段１６に記憶されている設定データを子機用設定データ記憶手段１２に設定する（ＳＴＥＰ８）。
【００１９】
以上のように本実施の形態１の自動販売機の制御装置によれば、オペレーターが子機を接続した場合、親機の設定データを基に、自動的に子機の設定データが設定されるためオペレート性を向上することができる。
【００２０】
また、オペレーターが任意で子機に設定したいデータを選択することができ、さらなるオペレート性を向上することができる。
【００２１】
また、何かの都合で、一旦子機を外した後に、再度子機を接続しても、バックアップしている以前の設定データが自動的に設定されるため、改めてオペレーターが子機の設定を行う必要がなくなり、さらなるオペレート性を向上することができる。
【００２２】
また、オペレーターは、バックアップしている以前の設定データを使用するか、あらためて現在の親機の設定データを基に自動的に子機の設定データを設定するかを選択することができ、ロケーションや商品入換え時のオペレート性を向上することができる。
【産業上の利用可能性】
【００２３】
以上のように、本発明にかかる自動販売機の制御装置は、親機の設定データを子機の設定データに自動的に設定することができ、親機と子機をつなぐ自動販売機のオペレート性を向上することができるので、親機に子機が接続可能なあらゆる自動販売機器の用途にも適用できる。
【符号の説明】
【００２４】
１１  親機用設定データ記憶手段
１２  子機用設定データ記憶手段
１３  自動設定データ記憶手段
１４  自動設定手段
１５  操作手段
１６  子機用設定データバックアップ手段
１７  選択記憶手段
１８  演算制御部
【図１】
0005440036.tif 000002
【図２】
0005440036.tif 000003